(57)【要約】      （修正有）【課題】ＩＣチップの組み込む場所を自動車の床下フレームやバンパー等の鉄部に限定し、磁石を利用したＩＣチップ収納ケースを直接吸引させてＩＣチップを固定する方法を提供する。【解決手段】より簡単なＩＣチップの取り付けと自動車駐車場の管理経費の削減理由から、磁石つきのＩＣチップ収納ケースまたは車体床下フレーム取り付けＩＣチップ収納ケースを提供し、自動車のＩＣチップを利用した駐車場の管理運営を促進させ、管理経費の削減と無断駐車などの住民トラブルの未然防止を図る。【選択図】図４
2006209591.tif 000002
【特許請求の範囲】
【請求項１】
非接触形のＩＣチップを利用して自動車駐車場の管理に利用する方法において、自動車へのＩＣチップの取り付け方法に磁石と一体化又は接着したプラスチック又は非金属のケースを利用して、自動車の車体床下の鉄フレーム部分に直接吸い付け、取り付ける事を特徴とする磁石付きＩＣチップ収納ケース。
【請求項２】
請求項１の磁石付きＩＣチップ収納ケースにおいて、収納するＩＣチップが車体の鉄フレーム部分やその収納ケースの磁石部分から２ミリメートル以上の間隔があるように配置された自動車駐車場管理システム用ＩＣチップ収納ケース。
【請求項３】
請求項１及び請求項２のＩＣチップ収納ケースにおいて、そのケースの素材はポリエチレンテレフタレート、ポリプロピレン、ポリエチレン、ポリカーボネート、ポリスチレン、アクリロニトリル−ブタジェン−スチレン共重合体、ポリ塩化ビニル、ポリウレタン、ポリイミド、のいずれかを材料として用いる事を特徴とする駐車場管理システム用ＩＣチップ収納ケース。
【請求項４】
請求項１及び請求項３までの駐車場管理システム用ＩＣチップ収納ケースにおいてＩＣチップのアンテナの向きが縦横どちらの方向からでも感知できるように２種類以上のＩＣチップを縦横の方向に収納可能とする寸法としたことを特徴とするＩＣチップ収納ケース。
【請求項５】
請求項１から請求項４までの駐車場管理システム用ＩＣチップの書込み情報として、取り付ける自動車の修理履歴を書き込めるような追加書込みが可能なＩＣチップとすることを特徴とする駐輪場管理システム用ＩＣチップ収納ケース。
【請求項６】
請求項１の磁石付きＩＣチップ収納ケースの代わりに車そのものの車体床下にＩＣチップを収納する事を目的としたケースをネジまたは接着または溶接によって取り付ける事を特徴とした自動車識別管理用ＩＣ収納ケース。
【発明の詳細な説明】
【技術分野】
【０００１】
本発明は、非接触型のＩＣチップ又はＩＣタグの自動車への取り付け、組み込み方法、さらにはライタ装置、リーダ装置に関する。
【背景技術】
【０００２】
ＩＣチップは高速道路の料金自動収受システムにおける実用化をはじめ自動車駐車場の管理に利用することが検討され、実用化されているが、そのＩＣチップは自動車室内に配置して、ＩＣタグリーダーまでの距離を３メートル以上も到達させるレベルまで信号を高めて利用したり、カードとして利用車に所持させ、ほぼ接触状態での利用方法であった。
【０００３】
しかし、自動車駐車場においては、自動車が高速で移動している事はなく、リーダとの間隔が１メートル程度で充分実用化が図れる大きな魅力がある。
【０００４】
その為には、自動車の床下やバンパーなどの比較的地面に近い部分にＩＣチップを配置する必要があり、ＩＣリーダを地面に埋め込んだ場合にはＩＣチップは車体床下やバンパーなどに取り付ける方法で対応できる。
【０００５】
今回の発明は、駐車場の利用者が比較的会員組織などに限定して利用する場合に、その駐車場の登録者のみがノンストップで駐車場を利用でき、管理者が不在でも自動的にゲートの開け閉めを行う事ができるものである。
【特許文献１】特許第３２１９３７３号広報
【特許文献２】特公平６−７５２６９号公報
【発明の開示】
【発明が解決しようとする課題】
【０００６】
上記のような従来技術は、次のような課題がある。第１の課題はＩＣチップからＩＣリーダまでの距離が離れているとＩＣチップからの情報をリーダに送る為に増幅する必要がありＩＣチップが装置として高価になることである。
【０００７】
第２の課題は、ＩＣチップから電磁気信号で入出力する情報の感度の課題であり、ＩＣチップの近くに金属などが存在しその金属に接しているとＩＣチップとリーダからの応答信号は弱くなる。更にＩＣタグをステッカ等に組み込んで自動車の車体フレームやバンパー等に直接に貼る方式では感度が悪くなり実用的ではなくなる。
【０００８】
第３の課題は、電磁気信号のアンテナに対する方向であり、充分な感度が得られるアンテナの方向は検索するＩＣチップのリーダアンテナにＩＣチップのアンテナ配線の長手方向が常に直角方向になるように配置され難い事にある。
【０００９】
第４の課題は、車の修理履歴などの開示問題である、中古車市場などに登場する中古車のカルテは開示され難い性質があり、その中古車のカルテとして追記可能なＩＣチップをこの収納ケースに入れて、過去の修理データを記録すれば車検や定期点検時の調整箇所など修理作業者の特定が簡単に行え、工数削減に役立つ。
【００１０】
第５の課題は、駐車場の管理などに利用する場合に磁石付きのＩＣチップ収納ケースでは取り付ける場所が金属に限定する事である。
【００１１】
この発明は、上記事情を鑑みてなされたものであり、早急な自動車駐車場管理システムや車の電子カルテシステムを導入する為のＩＣチップの提供を目的とする。
【課題を解決するための手段】
【００１２】
上記の課題を解決するために、本発明はＩＣチップの組み込む場所を自動車の床下フレームやバンパー等の鉄部に限定し、磁石を利用したＩＣチップ収納ケースを直接吸引させてＩＣチップを固定する方法を提供するものである。
【００１３】
また、この収納ケースと一体化した磁石から収納するＩＣチップまでの距離を５ミリメートル以上離すことでリーダからの電磁波を充分受発信する事ができる。
【００１４】
更に、ＩＣチップの長手方向が自動車の前後と左右方向になるように２種類のＩＣチップを収納できるようなアンテナサイズに合わせる事によって、この収納ケースを自動車に取り付ける場合のケースの向きを自由に設置できる。
【００１５】
また、この発明でのＩＣチップの利用には、利用者の識別情報かプリペイド方式のキー情報だけの利用とする為に盗難に遭っても大きな損害は発生しない。
【００１６】
もし、この収納ケースが盗難に遭っても、システムの識別情報に盗難情報を記録し駐車場で待ち受ければ、窃盗犯人の特定につながる。
【００１７】
更に、これら駐車場の固体識別に利用するＩＣチップの利用する目的では、車の床下車体に金属部分が無くてもＩＣチップを収納する目的のケースをネジまたは接着または溶接で取り付ける事である。
【発明の効果】
【００１８】
以上の説明のように本発明によれば、自動車駐車場での管理にＩＣチップを利用する場合の問題点が軽減され利用促進が図れる。
【００１９】
また、この発明によって、会員制の駐車場管理等に利用すれば自動の管理システムが図られ、管理費の削減が図れる。
【発明を実施するための最良の形態】
【００２０】
ＩＣチップを収納するケースの取り付け場所を、自動車の生産する工場または点検する修理場にて取り付ける事によって、ＩＣチップの固体識別の応用範囲が大きく広がる。
【実施例】
【００２１】
図１は磁石付きＩＣチップ収納ケースの断面図であり、磁石とＩＣチップは５ミリメートル以上の距離が取れるように設定する。
【００２２】
また、ＩＣチップの収納は縦と横方向に２個収納できるようにスペースを確保し、ＩＣチップが湿度や塵などに影響されやすい事から、蓋の部分は精密な密閉加工をする。
【産業上の利用可能性】
【００２３】
このＩＣチップを活かした自動車駐車場管理システムが完成すれば、会員制の駐車場などでの検索で自動車窃盗犯罪やＩＣチップの窃盗犯の自動取締システムにも応用が可能となる。
【図面の簡単な説明】
【００２４】
【図１】ＩＣチップ収納ケースの断面図
【図２】ＩＣチップ収納ケースの平面図
【図３】自動車の車体フレームに直接取り付けるＩＣチップ収納ケース図
【図４】自動車に磁石吸引するＩＣチップ収納ケース図
【符号の説明】
【００２５】
１、ＩＣチップ
２、ＩＣチップ底上げ基材
３、磁石
４、自動車の床下車体金属部分面
【図１】
2006209591.tif 000003
【図２】
2006209591.tif 000004
【図３】
2006209591.tif 000005
【図４】
2006209591.tif 000006